(57)【要約】  狭額縁化を実現する表示パネル及び表示装置の提供。  マトリクス状に配置した複数の表示素子、複数の表示素子へ供給すべき信号が入力される信号入力部、及び複数の表示素子と前記信号入力部とを接続した複数の信号配線を備え、信号配線は、信号入力部寄りの配線間隔と表示素子寄りの配線間隔とが異なる引出し配線部を含み、引出し配線部における少なくとも一部の信号配線に、配線を蛇行させた蛇行配線部を複数設けてある表示パネルにおいて、信号配線は、信号入力部寄りの蛇行配線部と、蛇行配線部よりも蛇行配線の振幅が大きい少なくとも１つの蛇行配線部とを備え、この蛇行配線部における蛇行配線の振幅を、引出し配線部における広い方の配線間隔に合わせて定めている。
2015008697.tif 000002
【特許請求の範囲】
【請求項１】
マトリクス状に配置した複数の表示素子、該複数の表示素子へ供給すべき信号が入力される信号入力部、及び前記複数の表示素子と前記信号入力部とを接続した複数の信号配線を備え、該信号配線は、前記信号入力部寄りの配線間隔と前記表示素子寄りの配線間隔とが異なる引出し配線部を含み、該引出し配線部における少なくとも一部の信号配線に、配線を蛇行させた蛇行配線部を複数設けてある表示パネルにおいて、
前記信号配線は、前記信号入力部寄りの蛇行配線部と、該蛇行配線部よりも蛇行配線の振幅が大きい少なくとも１つの蛇行配線部とを備え、
該少なくとも１つの蛇行配線部における蛇行配線の振幅を、前記引出し配線部における広い方の配線間隔に合わせて定めてある
ことを特徴とする表示パネル。
【請求項２】
前記信号入力部寄りの蛇行配線部における蛇行配線のピッチを、前記少なくとも１つの蛇行配線部における蛇行配線のピッチより広くしてあることを特徴とする請求項１に記載の表示パネル。
【請求項３】
前記複数の信号配線の抵抗値の差が予め定めた範囲内の値となるように前記蛇行配線部を設けてあることを特徴とする請求項１又は請求項２に記載の表示パネル。
【請求項４】
前記蛇行配線部における信号配線と少なくとも２箇所で交差するように配置した修復用配線、及び
前記信号配線と前記修復用配線との間に設けた絶縁層
を備えることを特徴とする請求項１から請求項３の何れか１つに記載の表示パネル。
【請求項５】
請求項１から請求項４の何れか１つに記載の表示パネルと、
該表示パネルが備える複数の表示素子を駆動する駆動部と
を備えることを特徴とする表示装置。
【発明の詳細な説明】
【技術分野】
【０００１】
本発明は、狭額縁化を実現する表示パネル及び表示装置に関する。
【背景技術】
【０００２】
液晶表示装置は、コンピュータのディスプレイ、テレビジョン受像機、及び各種の情報を表示する情報ディスプレイ等に広く利用されている。例えば、アクティブマトリクス型の液晶表示装置では、画素毎に設けた薄膜トランジスタ（ＴＦＴ）をスイッチング素子として機能させ、スイッチング素子がオンである期間に画素電極に対して信号電圧（階調電圧）を印加することで各画素での光透過率を制御する構成としており、画素間のクロストークがなく、高精細で多階調表示が可能である。【０００３】
一般的に、液晶表示装置が備える液晶表示パネルは、ガラス薄板からなる２枚の透光性基板と、これらの基板間に封入された液晶とにより構成されている。一方の基板（ＴＦＴ側ガラス基板）には画素毎に画素電極及びＴＦＴ等が形成され、他方の基板（ＣＦ側ガラス基板）には画素電極に対向するカラーフィルタと、各画素共通のコモン電極（対向電極）とが形成される。【０００４】
ＴＦＴ側ガラス基板には、水平方向に延びる複数のゲート配線と、垂直方向に延びる複数のソース配線とが形成されている。これらのゲート配線とソース配線とにより区画される矩形の領域がそれぞれ画素領域である。各画素領域にはスイッチング素子であるＴＦＴと画素電極とが形成されている。また、液晶表示パネルは、各画素における画像表示を制御するために、ゲート配線に接続されたゲートドライバ、及びソース配線に接続されたソースドライバを備える。【０００５】
ソースドライバは、１水平同期期間内に、データクロック信号に同期したタイミングで各ソース配線に表示データを出力する。一方、ゲートドライバは、１垂直同期期間内に、ゲートクロック信号に同期したタイミングでゲート配線に順次的に走査信号を出力する。走査信号が供給されたゲート配線に接続されている画素のＴＦＴがオンになり、ソース配線に供給された表示データが画素電極に書き込まれる。これにより、画素内の液晶分子の向きが変化し、それに伴って画素の光透過率が変化する。１垂直同期期間内に各画素にそれぞれ表示データが書き込まれて、液晶表示パネルに所望の画像が表示される。
【先行技術文献】
【特許文献】
【０００６】
【特許文献１】特開平８−７６１３６公報
【発明の概要】
【発明が解決しようとする課題】
【０００７】
前述したような液晶表示パネルを含む各種表示パネルには、表示素子に対して供給すべき表示信号、及び表示素子を駆動するための制御信号を伝送するための多数の信号配線が配置されている。また、表示パネルの周縁部には、表示信号や制御信号が入力される信号入力部が複数設けられ、信号入力部と信号配線とを接続する引出し配線を通じて、信号入力部に入力された表示信号及び制御信号を各信号配線に供給する構成としている。【０００８】
引出し配線を介して多数の信号配線を信号入力部に接続する場合、信号入力部に近接した信号配線に接続される引出し配線の配線長は短く、信号入力部から離隔した信号配線に接続される引出し配線の配線長は長くなるため、信号配線に接続される引出し配線間で抵抗値のばらつきが発生する。この結果、信号入力部から同じ大きさの表示信号又は制御信号を供給した場合であっても、表示素子に供給される信号の大きさは、伝送される引出し配線の配線長によって相違するものとなるので、輝度ムラ等を発生させる要因となる。【０００９】
従来では、引出し配線間の抵抗値のばらつきを抑えるために、配線長が長くなる引出し配線の線幅を、配線長が短くなる引出し配線の線幅より太くする手法が採用されていた（例えば、特許文献１を参照）。【００１０】
ところで、近年の液晶表示装置では、更なる狭額縁化が求められている。狭額縁の液晶表示装置ではパネル周辺部が狭くなるため、引出し配線を配置するスペースが小さくなる。従来の配線幅を太くする手法では、隣接する引出し配線間で接触を避ける必要があるため、狭額縁の表示装置では、十分な配線幅を確保することができず、引出し配線間の抵抗値のばらつきを解消することができないという問題点を有していた。【００１１】
本発明は、斯かる事情に鑑みてなされたものであり、狭額縁の表示パネルにおいても引出し配線間の抵抗値のばらつきを抑えることができる表示パネル及び表示装置を提供することを目的とする。
【課題を解決するための手段】
【００１２】
本願の表示パネルは、マトリクス状に配置した複数の表示素子、該複数の表示素子へ供給すべき信号が入力される信号入力部、及び前記複数の表示素子と前記信号入力部とを接続した複数の信号配線を備え、該信号配線は、前記信号入力部寄りの配線間隔と前記表示素子寄りの配線間隔とが異なる引出し配線部を含み、該引出し配線部における少なくとも一部の信号配線に、配線を蛇行させた蛇行配線部を複数設けてある表示パネルにおいて、前記信号配線は、前記信号入力部寄りの蛇行配線部と、該蛇行配線部よりも蛇行配線の振幅が大きい少なくとも１つの蛇行配線部とを備え、該少なくとも１つの蛇行配線部における蛇行配線の振幅を、前記引出し配線部における広い方の配線間隔に合わせて定めてあることを特徴とする。【００１３】
本願の表示パネルは、前記信号入力部寄りの蛇行配線部における蛇行配線のピッチを、前記少なくとも１つの蛇行配線部における蛇行配線のピッチより広くしてあることを特徴とする。【００１４】
本願の表示パネルは、前記複数の信号配線の抵抗値の差が予め定めた範囲内の値となるように前記蛇行配線部を設けてあることを特徴とする。【００１５】
本願の表示パネルは、前記蛇行配線部における信号配線と少なくとも２箇所で交差するように配置した修復用配線、及び前記信号配線と前記修復用配線との間に設けた絶縁層を備えることを特徴とする。【００１６】
本願の表示装置は、前述の表示パネルと、該表示パネルが備える複数の表示素子を駆動する駆動部とを備えることを特徴とする。
【発明の効果】
【００１７】
本願によれば、信号入力部寄りの蛇行配線部とその後段の蛇行配線部とを分割して引出し配線を設けているため、後段の蛇行配線部については、比較的に広い領域に配置することができる。この結果、後段の蛇行配線部における蛇行量の調整が容易であり、狭額縁の表示パネルにおいても、引出し配線間の抵抗値の差を予め定めた範囲内に収めることが可能となる。【００１８】
また、本願によれば、修復対象である蛇行配線部の配線に対して少なくとも２箇所で交差する修復用配線を設けているので、修復対象の配線と修復用配線との交差部を視認することが容易であり、修復効率が向上する。
【図面の簡単な説明】
【００１９】
【図１】本実施の形態に係る液晶表示パネルの概略図である。
【図２】引出し配線部の構成を説明する模式図である。
【図３】前段の蛇行配線部の一例を示す模式図である。
【図４】後段の蛇行配線部の一例を示す模式図である。
【図５】実施の形態１における引出し配線部のレイアウトを示す模式図である。
【図６】参考例における引出し配線部のレイアウトを示す模式図である。
【図７】液晶表示装置の駆動系の構成を示す模式図である。
【図８】引出し配線部の構成を説明する模式図である。
【図９】実施の形態３における修復用配線の構成を説明する模式図である。
【図１０】図９のＸ−Ｘ線における断面図である。
【図１１】断線の修復方法を説明する模式図である。
【図１２】図１１のＸＩＩ−ＸＩＩ線における断面図である。
【発明を実施するための形態】
【００２０】
本発明をその実施の形態を示す図面に基づいて具体的に説明する。
実施の形態１．
図１は本実施の形態に係る液晶表示パネルの概略図である。本実施の形態に係る液晶表示パネル１は、ＴＦＴ側ガラス基板１１０（TFT : Thin-Film transistor）、液晶層１２０（図１０を参照）、及びＣＦ側ガラス基板１３０（CF : Color Filter）を備える。
【００２１】
ＴＦＴ側ガラス基板１１０は、透光性を有する矩形状の基板であり、ＣＦ側ガラス基板１３０より少しだけ広い面積を有している。ＴＦＴ側ガラス基板１１０の一面には、例えば、マトリクス状に配置される複数の表示画素のそれぞれに対応した画素電極及びＴＦＴが形成される。また、ＴＦＴ側ガラス基板１１０の周縁部には、各表示画素へ供給すべき表示信号（又は走査信号）が入力される信号入力部４０，４０，…が設けられ、ＴＦＴ側ガラス基板１１０には、ゲート配線２１、ソース配線３１（図２を参照）等の信号配線を含んだ配線層が設けられる。
【００２２】
液晶表示パネル１の上辺に沿って並ぶ信号入力部４０，４０，…には、例えば、各表示画素に供給すべき表示信号が入力される。それぞれの信号入力部４０には、引出し配線部５０が設けられており、この引出し配線部５０を通じて適宜の本数（例えば、７２０本）のソース配線３１に対して表示信号を供給する。
【００２３】
同様に、液晶表示パネル１の左辺又は右辺に沿って並ぶ信号入力部４０，４０，…には、例えば、表示信号を供給すべき表示画素を選択するための走査信号が入力される。それぞれの信号入力部４０には、引出し配線部５０が設けられており、この引出し配線部５０を通じて適宜の本数（例えば、３６０本）のゲート配線２１に対して走査信号を供給する。
【００２４】
ＣＦ側ガラス基板１３０は、透光性を有する矩形状の基板であり、ＴＦＴ側ガラス基板１１０の一面に対向して設けられる。ＣＦ側ガラス基板１３０におけるＴＦＴ側ガラス基板１１０との対向面には、対向電極１３１（図１０を参照）が設けられる他、各表示画素に対応して表示領域を格子状のパターンで区画するブラックマトリクス１５１と、表示領域の周囲の領域を遮光する額縁部１５２とからなる遮光層１５０が設けられる。
【００２５】
ＴＦＴ側ガラス基板１１０及びＣＦ側ガラス基板１３０は、両基板の間に空隙を設けた状態でシール材（不図示）により貼り合わされており、この空隙に液晶物質を封入することで液晶層１２０を形成している。
【００２６】
図２は引出し配線部５０の構成を説明する模式図である。図２では、簡略化のため、一部の引出し配線のみを示している。引出し配線部５０では、信号入力部４０側の狭い領域から表示領域側の広い領域へ配線を引出している。このため、引出し配線部５０の中央付近では、信号入力部４０から信号配線（ゲート配線２１又はソース配線３１）までの直線距離は比較的短くなり、引出し配線部５０の端部付近では、信号入力部４０から信号配線までの直線距離は比較的長くなる。このような特徴は、狭額縁化が進むにつれて顕著になる。
【００２７】
仮に、引出し配線を同じ線幅の直線とした場合には、引出し配線の抵抗値は、中央付近では小さく、端部付近では大きくなる。この結果、信号入力部４０から同じ大きさの表示信号又は走査信号を供給した場合であっても、各信号配線に供給される信号の大きさは、伝送される引出し配線の配線長によって相違するものとなり、このような信号を基に表示領域に画像を表示させた場合、表示画像には輝度ムラが現れることになる。
【００２８】
そこで、本実施の形態では、引出し配線間の抵抗値の差が予め定めた範囲内（例えば、１０Ω以内）となるように、引出し配線の一部に、配線を蛇行させた蛇行配線部５２，５４を設けている。すなわち、引出し配線部５０の中央付近では蛇行配線部５２，５４における蛇行量を多くして配線長を稼ぐと共に、中央付近から端部に向かうにつれて蛇行量を少なくして配線長を調整し、各引出し配線の配線長を略同一にすることにより、引出し配線間の抵抗値の差が予め定めた範囲内に収まるように構成している。
【００２９】
本実施の形態では、前段の蛇行配線部５２を信号入力部４０寄りに設けており、ストレート配線５１を介して信号入力部４０に接続している。また、後段の蛇行配線部５４を表示領域寄りに設けており、蛇行配線部５４の一端側をストレート配線５３を介して前段の蛇行配線部５２に接続すると共に、他端側を表示領域内に配置される信号配線（ゲート配線２１又はソース配線３１）に接続している。
【００３０】
図２に示すように、前段の蛇行配線部５２と後段の蛇行配線部５４とを分割して引出し配線部５０に設けているため、後段の蛇行配線部５４については、比較的に広い領域に配置することができる。この結果、後段の蛇行配線部５４における蛇行量の調整が容易であり、狭額縁の液晶表示パネル１においても、引出し配線間の抵抗値の差を予め定めた範囲内に収めることが可能となる。
【００３１】
図３は前段の蛇行配線部５２の一例を示す模式図であり、図４は後段の蛇行配線部５４の一例を示す模式図である。前段の蛇行配線部５２は、ストレート配線５１を介して信号入力部４０に接続されている。蛇行配線部５２は、例えば、ゲート配線２１（又はソース配線３１）に対して交差する方向に設けられる交差配線５２１と、ゲート配線２１（又はソース配線３１）と略平行な方向に設けられる平行配線５２２とを有する。蛇行配線部５２は、これらの交差配線５２１と平行配線５２２とを交互に接続して形成したものである。
【００３２】
後段の蛇行配線部５４の構成も全く同様である。すなわち、蛇行配線部５４は、例えば、ゲート配線２１（又はソース配線３１）に対して交差する方向に設けられる交差配線５４１と、ゲート配線２１（又はソース配線３１）と略平行な方向に設けられる平行配線５４２とを有し、これらの交差配線５４１と平行配線５４２とを交互に接続して構成される。
【００３３】
なお、本実施の形態では、蛇行配線部５２（５４）が、それぞれゲート配線２１（又はソース配線３１）に対して交差する交差配線５２１（５４１）と、ゲート配線２１（又はソース配線３１）に略平行な平行配線５２２（５４２）とを有する構成としたが、蛇行配線部５２（５４）における配線の形状は図３に示すものに限定されるものではない。例えば、交差配線５２１（５４１）と平行配線５２２（５４２）とは必ずしも直交している必要はなく、所定角度で接続されるものであってもよい。また、図３に示すように、必ずしも直線状の配線を組み合わせる必要はなく、例えば、交差配線５２１（５４１）とある曲率を持った曲線状の配線との組み合わせにより、蛇行配線を形成するものであってもよい。
【００３４】
以下では、前段の蛇行配線部５２における交差配線５２１の配線長を蛇行配線の振幅Ｗ１とし、平行配線５２２の配線長を蛇行配線のピッチＰ１とする。また、後段の蛇行配線部５４における交差配線５４１の配線長を蛇行配線の振幅Ｗ２とし、平行配線５４２の配線長を蛇行配線のピッチＰ２とする。
【００３５】
本実施の形態１では、後段の蛇行配線部５４における蛇行配線の振幅Ｗ２を、広い側の引出し配線の間隔に合わせることにより、前段の蛇行配線部５２における振幅Ｗ１より大きくしていることを特徴の１つとしている。
【００３６】
図５は実施の形態１における引出し配線部５０のレイアウトを示す模式図であり、図６は参考例における引出し配線部５０のレイアウトを示す模式図である。図５及び図６に示すレイアウトでは、端子幅Ｌ１（＝３５．２ｍｍ）を有する信号入力部４０から７２０本の引出し配線を延設し、幅Ｌ２（＝１１０．７ｍｍ）の領域内に配置された７２０本のソース配線３１，３１，…にそれぞれの引出し配線を接続した様子を示している。実施の形態１では、後段の蛇行配線部５４における蛇行配線の振幅Ｗ２を、広い側の引出し配線の間隔に合わせて、前段の蛇行配線部５２における振幅Ｗ１より大きくしているため、特に後段の蛇行配線部５４で配線長を稼ぐことにより、信号入力部４０から表示領域までの距離Ｈを短くすることができる。図５に示すレイアウトでは、例えば、Ｈ＝３．９６ｍｍの狭額縁化を実現することができた。
【００３７】
これに対し、参考例のレイアウトでは、信号入力部４０側の狭いピッチに合わせて、蛇行配線部における蛇行配線の振幅を小さくしなければならないため、信号入力部４０から表示領域までの距離Ｈ’を長くすることによって配線長を稼ぐ必要がある。図６に示すレイアウトでは、例えば、Ｈ’＝４．４０ｍｍとなり、本願のものと比較して額縁部分が広くなる。
【００３８】
次に、本実施の形態に係る液晶表示パネルを用いた液晶表示装置の構成について説明する。図７は液晶表示装置の駆動系の構成を示す模式図である。本実施の形態に係る表示装置は、例えば、液晶表示パネル１、ゲートドライバ２、ソースドライバ３、電源回路４、画像メモリ５、制御回路６等を備えた液晶表示装置である。
【００３９】
液晶表示パネル１は、マトリクス状に配置された複数の表示素子１０，１０，１０，…を備える。隣接する表示素子間はブラックマトリクス１５１により遮光されており、各表示素子１０を区画することによって、それぞれを表示画素として機能させる。
【００４０】
液晶表示パネル１の各表示素子１０は、ＴＦＴ側ガラス基板１１０に設けられる画素電極、ＣＦ側ガラス基板１３０に設けられる対向電極１３１、及び画素電極と対向電極１３１との間に封入された液晶層１２０を含む（図１０を参照）。制御回路６は、ゲートドライバ２及びソースドライバ３を通じて、各表示素子１０に印加する電圧の大きさを制御することにより、各表示素子１０における液晶層１２０の光透過率を調整し、各表示画素での表示輝度を決定する。
【００４１】
制御回路６は、各表示素子１０における液晶層１２０に印加する電圧を制御するために、外部から入力される同期信号に基づき、メモリ制御信号、電源制御信号、ソースドライバ制御信号、及びゲートドライバ制御信号を生成し、生成した各制御信号を、それぞれ画像メモリ５、電源回路４、ソースドライバ３、ゲートドライバ２へ出力する。
【００４２】
画像メモリ５は、入力される表示データを一時的に記憶し、制御回路６から入力されたメモリ制御信号に同期して液晶表示パネル１に表示すべき画素データをソースドライバ３へ出力する。なお、画像メモリ５は、制御回路６に内蔵され、制御回路６の内部処理を経てソースドライバ３へ画像データを出力する構成であってもよい。
【００４３】
ここで、入力される同期信号及び表示データは、携帯電話機、携帯型ゲーム機等に搭載されたＣＰＵ又はＬＣＤコントロールＩＣから出力されるＬＣＤ信号、パーソナルコンピュータ（ＰＣ）のＣＲＴ出力信号をＡ／Ｄ変換した信号、ＰＣ等に搭載されたビデオＲＡＭを制御回路６が直接的に制御して取得した信号等に含まれるものである。
【００４４】
電源回路４は、制御回路６から入力された電源制御信号に同期して、ゲートドライバ２用の駆動電圧、及びソースドライバ３用の駆動電圧を生成し、それぞれゲートドライバ２及びソースドライバ３へ出力する。
【００４５】
ゲートドライバ２は、制御回路６から入力されたゲートドライバ制御信号に同期して、表示素子に設けられたスイッチング素子をオン／オフ制御する制御電圧を順次出力し、走査線であるゲート配線２１に印加する。
【００４６】
ソースドライバ３は、制御回路６から入力されたソースドライバ制御信号に同期して、画像メモリ５から出力された画素データを取り込み、画素データに応じた信号電圧を順次出力する。ソースドライバ３が出力する信号電圧は、対応するスイッチング素子がオンである場合に、信号線であるソース配線３１を介して、表示素子１０に供給される。
【００４７】
実施の形態２．
本実施の形態では、後段の蛇行配線部５４における蛇行配線の振幅Ｗ２を比較的大きくすることができるので、特に、後段の蛇行配線部５４における蛇行量を調整することにより、配線長を容易に調整することができる。このため、前段の蛇行配線部５２では、蛇行配線におけるピッチＰ１を広くすることにより、ＴＦＴ側ガラス基板１１０の面内において配線が形成されていない領域の比率を高めるようにしてもよい。
【００４８】
図８は引出し配線部５０の構成を説明する模式図である。実施の形態２では、実施の形態１と同様に、前段の蛇行配線部５２を信号入力部４０寄りに設けており、ストレート配線５１を介して信号入力部４０に接続している。また、後段の蛇行配線部５４を表示領域寄りに設けており、蛇行配線部５４の一端側をストレート配線５３を介して前段の蛇行配線部５２に接続すると共に、他端側を表示領域内に配置される信号配線（ゲート配線２１又はソース配線３１）に接続している。
【００４９】
図８に示すように、前段の蛇行配線部５２と後段の蛇行配線部５４とを分割して引出し配線部５０に設けているため、後段の蛇行配線部５４については、比較的に広い領域に配置することができる。この結果、後段の蛇行配線部５４における蛇行量の調整が容易であり、狭額縁の液晶表示パネル１においても、引出し配線間の抵抗値の差を予め定めた範囲内に収めることが可能となる。
【００５０】
また、実施の形態２では、前段の蛇行配線部５２における蛇行配線のピッチＰ１を、後段の蛇行配線部５４における蛇行配線のピッチＰ２より広くし、前段の蛇行配線部５２を含む領域において、配線が形成されていない領域（開口領域）の比率を高めるようにしている。ここで、前段の蛇行配線部５２を含む領域にシール領域９０を設け、ＴＦＴ側ガラス基板１１０の他面側からＵＶ露光して、ＴＦＴ側ガラス基板１１０とＣＦ側ガラス基板１３０との間に液晶物質を封止するためシール材を硬化させる態様とした場合、ＵＶ光を十分に透過させることができ、シール材に未硬化部が発生することを防止することができる。
【００５１】
なお、図８に示した例では、後段の蛇行配線部５４を含まない領域にシール領域９０を設ける構成としているが、シール領域９０の一部が後段の蛇行配線部５４と重なるように設ける構成としてもよい。この場合、シール領域９０と重なる蛇行配線部５４における蛇行配線のピッチＰ２を広くするようにしてもよい。
【００５２】
実施の形態３．
実施の形態１に示した蛇行配線部５２，５４に対し、断線を修復するための修復用配線を設ける構成としてもよい。
【００５３】
図９は実施の形態３における修復用配線６０の構成を説明する模式図であり、図１０は図９のＸ−Ｘ線における断面図である。修復用配線６０は、平面視において、蛇行配線部５２における配線と少なくとも２箇所で交差するように配置される。図９では、前段の蛇行配線部５２に対して修復用配線６０を設けた構成について示しているが、後段の蛇行配線部５４に対しても全く同様にして修復用配線を設けることが可能である。
なお、以下の説明では、蛇行配線部５２（引出し配線）はゲート配線２１（又はソース配線３１）に接続されているものとする。
【００５４】
図１０に示すように、液晶表示パネル１は、各画素１０がマトリクス状に形成されるＴＦＴ側ガラス基板１１０、液晶物質が封入されることによって形成される液晶層１２０、及びカラーフィルタ等が形成されるＣＦ側ガラス基板１３０を備える。ＴＦＴ側ガラス基板１１０及びＣＦ側ガラス基板１３０は、例えばガラス基板であり、ＴＦＴ側ガラス基板１１０の一面側には、ゲート配線層１１５、ゲート絶縁層１１４、ソース配線層１１３、及び保護層１１２が積層される。また、ＣＦ側ガラス基板１３０の一面側には対向電極１３１が形成される。
【００５５】
ゲート絶縁層１１４は、ゲート配線２１を構成するゲート配線層１１５を覆っている。ゲート配線２１に接続される蛇行配線部５２（引出し配線）は、例えば、ゲート配線２１と同一材料を用いて、ゲート配線２１を形成するプロセスと同一工程にて形成することができる。
【００５６】
修復用配線６０は、ソース配線層１１３における配線として形成することができ、例えば、ソース配線３１と同一材料（例えば、Ｃｕ／Ｔｉ）を用いて、ソース配線３１を形成するプロセスと同一工程にて形成することができる。すなわち、修復用配線６０を含んだソース配線層１１３と、修復対象の蛇行配線部５２の配線を含んだゲート配線層１１５とは、ゲート絶縁層１１４を介して積層されていることになる。
【００５７】
図１１は断線の修復方法を説明する模式図であり、図１２は図１１のＸＩＩ−ＸＩＩ線における断面図である。以下では、蛇行配線部５２における配線上の一箇所に断線箇所７０が発生した場合について説明する。図１１に示す例では、信号入力部４０側から２番目の交差配線５２１にて断線箇所７０が発生している様子を示している。このとき、信号入力部４０側から２番目の交差配線５２１と修復用配線６０との交差部６１、及び信号入力部４０側から３番目の交差配線５２１と修復用配線６０との交差部６２をメルト修正することにより、２番目の交差配線５２１と３番目の交差配線５２１との間に迂回経路を設けることができる。
【００５８】
具体的には、信号入力部４０側から２番目の交差配線５２１にて断線箇所７０が発生している場合、カメラ等を用いて、信号入力部４０側から２番目の交差配線５２１と修復用配線６０との交差部６１を視認し、この交差部６１を対象としてＴＦＴ側ガラス基板１１０の他面側からレーザ光を照射し、修復用配線６０の一部を融解させることにより、修復用配線６０とその下層にある交差配線５２１とを交差部６１にて導通させた導通部６１ａを設ける。同様にして、信号入力部４０側から３番目の交差配線５２１と修復用配線６０との交差部６２を視認し、この交差部６２を対象としてＴＦＴ側ガラス基板１１０の他面側からレーザ光を照射し、修復用配線６０の一部を融解させることにより、修復用配線６０とその下層にある交差配線５２１とを交差部６２にて導通させた導通部６２ａを設ける。これにより、２箇所の交差部６１，６２及び修復用配線６０を通る迂回経路が形成され、断線を修復することができる。
【００５９】
以上のように、本実施の形態では、修復対象である蛇行配線部５２の配線（引出し配線）に対して少なくとも２箇所で交差する修復用配線６０を設けているので、引出し配線と修復用配線６０との交差部６１，６２を視認することが容易であり、修復効率が向上する。
【００６０】
また、本実施の形態では、修復用配線６０の形成位置が面内方向で多少ずれたとしても、修復用配線６０と引出し配線との重なり量が減少することはなく、修復用配線６０と引出し配線との交差部（交差部６１，６２等）が確実に形成されるので、これらの交差部（交差部６１，６２等）を利用してメルト修正を実施することで断線の修復が可能となる。
【００６１】
実施の形態１〜３では、２つの蛇行配線部５２，５４を設けた構成について説明を行ったが、１つの引出し配線に対して３つ以上の蛇行配線部を設けた構成であってもよい。この場合、信号入力部４０に最も近い蛇行配線部５２以外の１又は複数の蛇行配線部において、蛇行配線の振幅を大きくすればよい。
【００６２】
今回開示された実施の形態は、全ての点で例示であって、制限的なものではないと考えられるべきである。本発明の範囲は、上述した意味ではなく、請求の範囲によって示され、請求の範囲と均等の意味及び範囲内での全ての変更が含まれることが意図される。また、各実施の形態で記載されている技術的特徴は、お互いに組み合わせることが可能である。
【符号の説明】
【００６３】
１  液晶表示パネル
４０  信号入力部
５０  引出し配線部
５１，５３  ストレート配線
５２，５４  蛇行配線部
６０  修復用配線
【図１】
2015008697.tif 000003
【図２】
2015008697.tif 000004
【図３】
2015008697.tif 000005
【図４】
2015008697.tif 000006
【図７】
2015008697.tif 000007
【図９】
2015008697.tif 000008
【図１０】
2015008697.tif 000009
【図１１】
2015008697.tif 000010
【図１２】
2015008697.tif 000011
【図５】
2015008697.tif 000012
【図６】
2015008697.tif 000013
【図８】
2015008697.tif 000014
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
マトリクス状に配置した複数の表示素子、該複数の表示素子へ供給すべき信号が入力される信号入力部、及び前記複数の表示素子と前記信号入力部とを接続した複数の信号配線を備え、該信号配線は、前記信号入力部寄りの配線間隔と前記表示素子寄りの配線間隔とが異なる引出し配線部を含み、該引出し配線部における少なくとも一部の信号配線に、配線を蛇行させた蛇行配線部を複数設けてある表示パネルにおいて、
前記信号配線は、前記信号入力部寄りの蛇行配線部と、該蛇行配線部よりも蛇行配線の振幅が大きい少なくとも１つの蛇行配線部とを備え、
該少なくとも１つの蛇行配線部における蛇行配線の振幅を、前記引出し配線部における広い方の配線間隔に合わせて定めてあり、
前記信号入力部寄りの蛇行配線部における蛇行配線のピッチを、前記少なくとも１つの蛇行配線部における蛇行配線のピッチより広くしてある
ことを特徴とする表示パネル。
【請求項２】
前記複数の信号配線の抵抗値の差が予め定めた範囲内の値となるように前記蛇行配線部を設けてあることを特徴とする請求項１に記載の表示パネル。
【請求項３】
前記蛇行配線部における信号配線と少なくとも２箇所で交差するように配置した修復用配線、及び
前記信号配線と前記修復用配線との間に設けた絶縁層
を備えることを特徴とする請求項１又は請求項２に記載の表示パネル。
【請求項４】
請求項１から請求項３の何れか１つに記載の表示パネルと、
該表示パネルが備える複数の表示素子を駆動する駆動部と
を備えることを特徴とする表示装置。
【国際調査報告】
2015008697.tif 000015
2015008697.tif 000016
2015008697.tif 000017
2015008697.tif 000018